【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
プロセッサと内視鏡装置とを中継接続するための中継アダプタであって、
前記内視鏡装置を接続する第１コネクタ部と、
前記プロセッサを接続する第２コネクタ部と、
前記中継アダプタの動作を制御するためのプログラムを格納する記憶部と、
前記記憶部から前記プログラムを読み込んで実行する制御部と、を備え、
前記制御部は、
前記内視鏡装置における信号処理の内容を含む第１仕様情報と、前記プロセッサにおける信号処理の内容を含む第２仕様情報と、を取得する処理と、
前記第１仕様情報と前記第２仕様情報とを照合し、当該照合の結果に基づいて、前記内視鏡装置から受信した信号を前記プロセッサが処理できるように変換し、変換信号を生成する処理と、
前記変換信号を前記プロセッサに出力する処理と、を実行し、
前記第１仕様情報は、前記内視鏡装置における各操作ボタンに対応する信号レベルの情報を含み、
前記第２仕様情報は、前記プロセッサにおける各信号レベルの認識に関する情報を含み、
前記制御部は、前記内視鏡装置で操作されたボタンに対応する信号レベルを、前記プロセッサが認識できるように変換し、当該変換して得られた情報を前記プロセッサに出力する、中継アダプタ。
【請求項２】
プロセッサと内視鏡装置とを中継接続するための中継アダプタであって、
前記内視鏡装置を接続する第１コネクタ部と、
前記プロセッサを接続する第２コネクタ部と、
前記中継アダプタの動作を制御するためのプログラムを格納する記憶部と、
前記記憶部から前記プログラムを読み込んで実行する制御部と、
前記内視鏡装置に設けられ光源として機能する照明素子に、制御信号を出力する照明Ｉ／Ｆ部と、
前記内視鏡装置に設けられ観察対象の映像を撮像する撮像素子に、制御信号を出力する撮像Ｉ／Ｆ部と、を備え、
前記制御部は、
前記内視鏡装置における信号処理の内容を含む第１仕様情報と、前記プロセッサにおける信号処理の内容を含む第２仕様情報と、を取得する処理と、
前記第１仕様情報と前記第２仕様情報とを照合し、当該照合の結果に基づいて、前記内視鏡装置から受信した信号を前記プロセッサが処理できるように変換し、変換信号を生成する処理と、
前記変換信号を前記プロセッサに出力する処理と、を実行し、
前記制御部は、前記プロセッサに対して、前記プロセッサに含まれる光源の明るさ調整が不要であることを示すダミー信号を出力する、中継アダプタ。
【請求項３】
プロセッサと内視鏡装置とを中継接続するための中継アダプタであって、
前記内視鏡装置を接続する第１コネクタ部と、
前記プロセッサを接続する第２コネクタ部と、
前記中継アダプタの動作を制御するためのプログラムを格納する記憶部と、
前記記憶部から前記プログラムを読み込んで実行する制御部と、を備え、
前記制御部は、
前記内視鏡装置における信号処理の内容を含む第１仕様情報と、前記プロセッサにおける信号処理の内容を含む第２仕様情報と、を取得する処理と、
前記第１仕様情報と前記第２仕様情報とを照合し、当該照合の結果に基づいて、前記内視鏡装置から受信した信号を前記プロセッサが処理できるように変換し、変換信号を生成する処理と、
前記変換信号を前記プロセッサに出力する処理と、を実行し、
前記制御部は、前記プロセッサから、前記内視鏡装置に含まれる撮像素子または照明素子の少なくとも一方のホワイトバランス調整を指示するホワイトバランス調整制御信号を受信すると、前記ホワイトバランス調整を実行することなしに、前記プロセッサに対して、ホワイトバランスが調整済であることを示すホワイトバランス調整済信号を出力する、中継アダプタ。
【請求項４】
プロセッサと内視鏡装置とを中継接続するための中継アダプタであって、
前記内視鏡装置を接続する第１コネクタ部と、
前記プロセッサを接続する第２コネクタ部と、
前記中継アダプタの動作を制御するためのプログラムを格納する記憶部と、
前記記憶部から前記プログラムを読み込んで実行する制御部と、
前記内視鏡装置の機能を制御するための指示を入力する入力部と、を備え、
前記制御部は、
前記内視鏡装置における信号処理の内容を含む第１仕様情報と、前記プロセッサにおける信号処理の内容を含む第２仕様情報と、を取得する処理と、
前記第１仕様情報と前記第２仕様情報とを照合し、当該照合の結果に基づいて、前記内視鏡装置から受信した信号を前記プロセッサが処理できるように変換し、変換信号を生成する処理と、
前記変換信号を前記プロセッサに出力する処理と、を実行し、
前記制御部は、前記入力部から入力された指示に応答して、前記内視鏡装置に特有な機能を操作・制御し、前記内視鏡装置の撮像素子によって撮像された映像の中心部分だけを使用する機能を有効にするように、前記内視鏡装置を制御する、中継アダプタ。
【請求項５】
プロセッサと内視鏡装置とを中継接続するための中継アダプタであって、
前記内視鏡装置を接続する第１コネクタ部と、
前記プロセッサを接続する第２コネクタ部と、
前記中継アダプタの動作を制御するためのプログラムを格納する記憶部と、
前記記憶部から前記プログラムを読み込んで実行する制御部と、
外部のサーバとネットワークを介して通信を行うことを可能にする通信部と、を備え、
前記制御部は、
前記内視鏡装置における信号処理の内容を含む第１仕様情報と、前記プロセッサにおける信号処理の内容を含む第２仕様情報と、を取得する処理と、
前記第１仕様情報と前記第２仕様情報とを照合し、当該照合の結果に基づいて、前記内視鏡装置から受信した信号を前記プロセッサが処理できるように変換し、変換信号を生成する処理と、
前記変換信号を前記プロセッサに出力する処理と、を実行し、
前記内視鏡装置は、使用済の場合に装置全体としての再利用が禁止される単回使用内視鏡装置であり、
前記通信部は、前記単回使用内視鏡装置が前記中継アダプタに接続されたとき、前記単回使用内視鏡装置の少なくとも識別情報を前記サーバに送信する、中継アダプタ。
【請求項６】
請求項５において、
前記通信部は、前記単回使用内視鏡装置の識別情報が前記サーバに使用済として登録されているか否かを示す内視鏡管理情報を受信し、
前記制御部は、前記内視鏡管理情報に基づいて、前記接続された単回使用内視鏡装置の使用を許可するか決定する、中継アダプタ。
【請求項７】
請求項１から６の何れか１項において、
前記内視鏡装置は、使用済の場合に装置全体としての再利用が禁止される単回使用内視鏡装置であり、
前記プロセッサは、従来型のリユース内視鏡が接続されて使用されるプロセッサである、中継アダプタ。
【請求項８】
請求項１から７の何れか１項において、
前記第１仕様情報は、前記内視鏡装置で処理可能な映像のフォーマット情報を含み、
前記第２仕様情報は、前記プロセッサで処理可能な映像のフォーマット情報を含み、
前記制御部は、前記内視鏡装置で撮像された映像を、前記内視鏡装置の映像フォーマットから前記プロセッサの映像フォーマットに変換してフォーマット変換映像を生成し、当該フォーマット変換映像を前記プロセッサに出力する、中継アダプタ。
【請求項９】
請求項１から８の何れか１項に記載の中継アダプタと、
前記第１コネクタ部に接続される内視鏡装置と、
前記第２コネクタ部に接続されるプロセッサと、を備える、内視鏡システム。
【請求項１０】
プロセッサと内視鏡装置とを接続するための中継アダプタにおける信号処理方法であって、
前記中継アダプタの動作を制御するためのプログラムを格納する記憶部から前記プログラムを読み込んで実行する制御部が、前記内視鏡装置における信号処理の内容を含む第１仕様情報を取得することと、
前記制御部が、前記プロセッサにおける信号処理の内容を含む第２仕様情報を取得することと、
前記制御部が、前記第１仕様情報と前記第２仕様情報とを照合することと、
前記制御部が、前記照合の結果に基づいて、前記内視鏡装置から受信した信号を前記プロセッサが処理できるように変換し、変換信号を生成することと、
前記制御部が、前記変換信号を前記プロセッサに出力することと、を含み、
前記第１仕様情報は、前記内視鏡装置における各操作ボタンに対応する信号レベルの情報を含み、
前記第２仕様情報は、前記プロセッサにおける各信号レベルの認識に関する情報を含み、
前記制御部は、前記内視鏡装置で操作されたボタンに対応する信号レベルを、前記プロセッサが認識できるように変換し、当該変換して得られた情報を前記プロセッサに出力する、信号処理方法。
【請求項１１】
請求項１０において、
前記第１仕様情報は、前記内視鏡装置で処理可能な映像のフォーマット情報を含み、
前記第２仕様情報は、前記プロセッサで処理可能な映像のフォーマット情報を含み、
前記制御部は、前記内視鏡装置で撮像された映像を、前記内視鏡装置の映像フォーマットから前記プロセッサの映像フォーマットに変換してフォーマット変換映像を生成し、当該フォーマット変換映像を前記プロセッサに出力する、信号処理方法。
【請求項１２】
プロセッサと内視鏡装置とを接続するための中継アダプタにおける信号処理方法であって、
前記中継アダプタの動作を制御するためのプログラムを格納する記憶部から前記プログラムを読み込んで実行する制御部が、前記内視鏡装置における信号処理の内容を含む第１仕様情報を取得することと、
前記制御部が、前記プロセッサにおける信号処理の内容を含む第２仕様情報を取得することと、
前記制御部が、前記第１仕様情報と前記第２仕様情報とを照合することと、
前記制御部が、前記照合の結果に基づいて、前記内視鏡装置から受信した信号を前記プロセッサが処理できるように変換し、変換信号を生成することと、
前記制御部が、前記変換信号を前記プロセッサに出力することと、を含み、
前記制御部が、前記プロセッサに対して、前記プロセッサに含まれる光源の明るさ調整が不要であることを示すダミー信号を出力することを含む、信号処理方法。
【請求項１３】
プロセッサと内視鏡装置とを接続するための中継アダプタにおける信号処理方法であって、
前記中継アダプタの動作を制御するためのプログラムを格納する記憶部から前記プログラムを読み込んで実行する制御部が、前記内視鏡装置における信号処理の内容を含む第１仕様情報を取得することと、
前記制御部が、前記プロセッサにおける信号処理の内容を含む第２仕様情報を取得することと、
前記制御部が、前記第１仕様情報と前記第２仕様情報とを照合することと、
前記制御部が、前記照合の結果に基づいて、前記内視鏡装置から受信した信号を前記プロセッサが処理できるように変換し、変換信号を生成することと、
前記制御部が、前記変換信号を前記プロセッサに出力することと、
前記制御部が、前記プロセッサから、前記内視鏡装置に含まれる撮像素子または照明素子の少なくとも一方のホワイトバランス調整を指示するホワイトバランス調整制御信号を受信することと、
前記制御部が、前記ホワイトバランス調整制御信号の受信に応答して、前記ホワイトバランス調整を実行することなしに、前記プロセッサに対して、ホワイトバランスが調整済であることを示すホワイトバランス調整済信号を出力することと、
を含む、信号処理方法。
【請求項１４】
プロセッサと内視鏡装置とを接続するための中継アダプタにおける信号処理方法であって、
前記中継アダプタの動作を制御するためのプログラムを格納する記憶部から前記プログラムを読み込んで実行する制御部が、前記内視鏡装置における信号処理の内容を含む第１仕様情報を取得することと、
前記制御部が、前記プロセッサにおける信号処理の内容を含む第２仕様情報を取得することと、
前記制御部が、前記第１仕様情報と前記第２仕様情報とを照合することと、
前記制御部が、前記照合の結果に基づいて、前記内視鏡装置から受信した信号を前記プロセッサが処理できるように変換し、変換信号を生成することと、
前記制御部が、前記変換信号を前記プロセッサに出力することと、を含み、
前記内視鏡装置は、使用済の場合に装置全体としての再利用が禁止される単回使用内視鏡装置であり、
さらに、外部のサーバとネットワークを介して通信を行うことを可能にする通信部が、前記単回使用内視鏡装置が前記中継アダプタに接続されたとき、前記単回使用内視鏡装置の少なくとも識別情報を前記サーバに送信することを含む、信号処理方法。
【請求項１５】
請求項１４において、さらに、
前記通信部が、前記単回使用内視鏡装置の識別情報が前記サーバに使用済として登録されているか否かを示す内視鏡管理情報を受信することと、
前記制御部が、前記内視鏡管理情報に基づいて、前記接続された単回使用内視鏡装置の使用を許可するか決定することと、
を含む、信号処理方法。